【手続補正書】
【提出日】平成19年7月27日(2007.7.27)
【手続補正１】
【補正対象書類名】明細書
【補正対象項目名】発明の名称
【補正方法】変更
【補正の内容】
【発明の名称】映像式パチンコ機及び遊技プログラム
【手続補正２】
【補正対象書類名】明細書
【補正対象項目名】特許請求の範囲
【補正方法】変更
【補正の内容】
【特許請求の範囲】
【請求項１】
電気的映像部材で、映像球通過検出部と、遊技球が入球し易い状態と入球し難い状態とに開閉する映像可動片を有する映像始動口とを含む遊技領域を有する遊技画像を映し出し、映像遊技球を前記遊技画像に発射して遊技を進行させる制御を行う制御部を備えた映像式パチンコ機であって、
前記制御部は、
前記映像球通過検出部を映像遊技球が通過したことを検知する機能と、
前記映像球通過検出部を映像遊技球が通過したことを検知したことを条件として、前記映像可動片を開放する機能と、
前記映像球通過検出部を映像遊技球が通過したことを検知したときに、前記遊技領域内の映像遊技球の大きさを変更して、前記映像始動口への映像遊技球の入賞確率を変化させる機能と、
を有することを特徴とする映像式パチンコ機。
【請求項２】
前記遊技領域は、前記映像始動口に加えて映像一般入賞口、映像特別入賞口、及び開閉自在なシャッタを備えた映像入賞口を有し、
前記制御部は、
前記映像球通過検出部を映像遊技球が通過したことを検知したときに、前記遊技領域内の映像遊技球の大きさを変更して、前記各映像入賞口への映像遊技球の入賞確率を変化させる機能を、さらに有することを特徴とする請求項１記載の映像式パチンコ機。
【請求項３】
前記制御部は、
前記映像始動口に前記映像遊技球が入球した場合、前記遊技画像に複数の識別情報画像を変動表示させてその後に変動表示を停止し、複数の識別情報画像が所定の組合せで表示停止したときは遊技者にとって有利な大当たり遊技状態へ移行させる可変表示ゲームを行う機能を、さらに有することを特徴とする請求項１または２に記載の映像式パチンコ機。
【請求項４】
制御部に、
電気的映像部材で、映像球通過検出部と、映像遊技球が入球し易い状態と入球し難い状態とに開閉する映像可動片を有する映像始動口とを含む遊技領域を有する遊技画像を映し出す機能と、
前記映像遊技球を前記遊技画像に発射して遊技を進行させる機能と、
前記映像球通過検出部を映像遊技球が通過したことを検知したことを条件として、前記映像可動片を開放するとともに、前記遊技領域内の前記映像遊技球の大きさを変更して前記映像始動口への映像遊技球の入賞確率を変化させる機能と、
を実現させるための遊技プログラム。
【手続補正３】
【補正対象書類名】明細書
【補正対象項目名】０００１
【補正方法】変更
【補正の内容】
【０００１】
【発明の属する技術分野】
この発明は、映像式パチンコ機及び遊技プログラムに関するものである。
【手続補正４】
【補正対象書類名】明細書
【補正対象項目名】０００６
【補正方法】変更
【補正の内容】
【０００６】
【課題を解決するための手段】
この発明は、電気的映像部材で、映像球通過検出部と、遊技球が入球し易い状態と入球し難い状態とに開閉する映像可動片を有する映像始動口とを含む遊技領域を有する遊技画像を映し出し、映像遊技球を前記遊技画像に発射して遊技を進行させる制御を行う制御部を備えた映像式パチンコ機であって、前記制御部は、前記映像球通過検出部を映像遊技球が通過したことを検知する機能と、前記映像球通過検出部を映像遊技球が通過したことを検知したことを条件として、前記映像可動片を開放する機能と、前記映像球通過検出部を映像遊技球が通過したことを検知したときに、前記遊技領域内の映像遊技球の大きさを変更して、前記映像始動口への映像遊技球の入賞確率を変化させる機能と、を有する映像式パチンコ機を提供せんとするものである。
【手続補正５】
【補正対象書類名】明細書
【補正対象項目名】０００７
【補正方法】変更
【補正の内容】
【０００７】
また、本発明は、前記遊技領域は、前記映像始動口に加えて映像一般入賞口、映像特別入賞口、及び開閉自在なシャッタを備えた映像入賞口を有し、前記制御部は、前記映像球通過検出部を映像遊技球が通過したことを検知したときに、前記遊技領域内の映像遊技球の大きさを変更して、前記各映像入賞口への映像遊技球の入賞確率を変化させる機能を、さらに有することにも特徴を有する。
【手続補正６】
【補正対象書類名】明細書
【補正対象項目名】０００８
【補正方法】変更
【補正の内容】
【０００８】
また、本発明は、前記制御部は、前記映像始動口に前記映像遊技球が入球した場合、前記遊技画像に複数の識別情報画像を変動表示させてその後に変動表示を停止し、複数の識別情報画像が所定の組合せで表示停止したときは遊技者にとって有利な大当たり遊技状態へ移行させる可変表示ゲームを行う機能を、さらに有することにも特徴を有する。
【手続補正７】
【補正対象書類名】明細書
【補正対象項目名】０００９
【補正方法】変更
【補正の内容】
【０００９】
また、本発明は、制御部に、電気的映像部材で、映像球通過検出部と、映像遊技球が入球し易い状態と入球し難い状態とに開閉する映像可動片を有する映像始動口とを含む遊技領域を有する遊技画像を映し出す機能と、前記映像遊技球を前記遊技画像に発射して遊技を進行させる機能と、前記映像球通過検出部を映像遊技球が通過したことを検知したことを条件として、前記映像可動片を開放するとともに、前記遊技領域内の前記映像遊技球の大きさを変更して前記映像始動口への映像遊技球の入賞確率を変化させる機能と、を実現させるための遊技プログラムを提供せんとするものである。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】変更
【補正の内容】
【００１２】
【発明の実施の形態】
本実施形態に係る映像式パチンコ機は、電気的映像部材で、映像球通過検出部５５ａ，５５ｂと、遊技球が入球し易い状態と入球し難い状態とに開閉する映像可動片５８ａ，５８ｂを有する映像始動口４４とを含む遊技領域１４′′を有する遊技画像１４′を映し出し、映像遊技球Ｂを前記遊技画像１４′に発射して遊技を進行させる制御を行う制御部（制御回路６０）を備え、前記制御部は、前記映像球通過検出部５５ａ，５５ｂを映像遊技球Ｂが通過したことを検知する機能と、前記映像球通過検出部５５ａ，５５ｂを映像遊技球Ｂが通過したことを検知したことを条件として、前記映像可動片５８ａ，５８ｂを開放する機能と、前記映像球通過検出部５５ａ，５５ｂを映像遊技球Ｂが通過したことを検知したときに、前記遊技領域１４′′内の映像遊技球Ｂの大きさを変更して、前記映像始動口４４への映像遊技球Ｂの入賞確率を変化させる機能と、を有するものである。
このように構成することにより、遊技者は緊張感を持って遊技を行うことができ、かつ映像遊技球Ｂの大きさが遊技中の所定のタイミングで変更されることにより遊技者に新たな期待を持たせ更なる遊び心を高めることができる。
【手続補正１１】
【補正対象書類名】明細書
【補正対象項目名】００１３
【補正方法】変更
【補正の内容】
【００１３】
また、本実施形態では、前記遊技領域１４′′は、前記映像始動口４４に加えて映像一般入賞口５０、映像特別入賞口５６ａ〜５６ｄ、及び開閉自在なシャッタ４０を備えた映像入賞口３８を有し、前記制御部は、前記映像球通過検出部５５ａ，５５ｂを映像遊技球Ｂが通過したことを検知したときに、前記遊技領域１４′′内の映像遊技球Ｂの大きさを変更して、前記各映像入賞口への映像遊技球Ｂの入賞確率を変化させる機能と、前記映像始動口４４に前記映像遊技球Ｂが入球した場合、前記遊技画像１４′に複数の識別情報画像を変動表示させてその後に変動表示を停止し、複数の識別情報画像が所定の組合せで表示停止したときは遊技者にとって有利な大当たり遊技状態へ移行させる可変表示ゲームを行う機能とを、さらに有する。
かかる映像式パチンコ機とすることにより、更に興味のあるパチンコ遊技を行うことが出来る。
【手続補正１２】
【補正対象書類名】明細書
【補正対象項目名】００１４
【補正方法】変更
【補正の内容】
【００１４】
更には、本実施形態では、制御部に、電気的映像部材で、映像球通過検出部５５ａ，５５ｂと、映像遊技球Ｂが入球し易い状態と入球し難い状態とに開閉する映像可動片５８ａ，５８ｂを有する映像始動口４４とを含む遊技領域１４′′を有する遊技画像１４′を映し出す機能と、前記映像遊技球Ｂを前記遊技画像に発射して遊技を進行させる機能と、前記映像球通過検出部５５ａ，５５ｂを映像遊技球が通過したことを検知したことを条件として、前記映像可動片５８ａ，５８ｂを開放するとともに、前記遊技領域１４′′内の前記映像遊技球Ｂの大きさを変更して前記映像始動口４４への映像遊技球Ｂの入賞確率を変化させる機能と、を実現させるための遊技プログラムとしており、かかる遊技プログラムを用いることにより、映像遊技球Ｂの大きさが遊技の途中に変更されるので遊技者は飽きを感じることがなくなり継続して緊張感を持って遊技を行うことができる。
【手続補正１３】
【補正対象書類名】明細書
【補正対象項目名】００８５
【補正方法】変更
【補正の内容】
【００８５】
かかる特定遊技状態や確変状態に制御する映像式パチンコ機において、本実施形態の要旨は次のような点にある。
【手続補正１４】
【補正対象書類名】明細書
【補正対象項目名】００８６
【補正方法】変更
【補正の内容】
【００８６】
すなわち、本実施形態では、電気的映像部材で遊技画像１４′を映し出し映像遊技球Ｂを遊技画像１４′に発射して遊技を行なう映像式パチンコ機において、遊技画像１４′における遊技領域１４′′に表示した映像遊技球Ｂの大きさを遊技中の所定のタイミングで変更するようにしている。したがって、遊技者は緊張感を持って遊技を行うことができ、かつ映像遊技球Ｂの大きさが遊技中の所定のタイミングで変更されることにより遊技者に新たな期待を持たせ更なる遊び心を高めることができる。特に、遊技画像１４′に表示した遊技領域１４′′の所定位置を映像遊技球Ｂが通過した場合に、映像遊技球Ｂの大きさを変更して前記映像始動口４４への映像遊技球Ｂの入賞確率を変化させるようにした映像式パチンコ機としており、また、遊技画像１４′の遊技領域１４′′に表示した映像始動口４４の近傍位置で映像遊技球Ｂの大きさを変更し、同映像始動口４４に映像遊技球Ｂが入球した場合は遊技画像１４′に複数の識別情報画像を変動表示させてその後に表示を停止し、複数の識別情報画像が所定の組合せで表示停止したときは遊技者にとって有利な大当り遊技状態へ移行させる可変表示ゲームを行なうようにしている。また映像式パチンコ機の遊技プログラムとして、電気的映像部材で遊技画像１４′を映し出す映像表示プログラムと、映像遊技球Ｂを遊技画像１４′に発射して遊技を行なう遊技プログラムと、遊技画像１４′における遊技領域１４′′に表示した映像遊技球Ｂの大きさを所定のタイミングで変更するプログラムとしている。
【手続補正１５】
【補正対象書類名】明細書
【補正対象項目名】０１０５
【補正方法】変更
【補正の内容】
【０１０５】
また、映像遊技球Ｂの大きさを変更する際の本実施形態における特徴的なパラメータとして遊技領域１４′′の所定位置を映像遊技球Ｂが通過した状況に設定することができる。
【手続補正１６】
【補正対象書類名】明細書
【補正対象項目名】０１１０
【補正方法】変更
【補正の内容】
【０１１０】
また、映像遊技球Ｂの大きさを変更するパラメータの参考例として、遊技領域１４′′に表示した映像始動口４４の近傍位置に映像遊技球Ｂが位置した時に映像遊技球Ｂの大きさが変更するように設定することができる。
【手続補正１７】
【補正対象書類名】明細書
【補正対象項目名】０１９９
【補正方法】変更
【補正の内容】
【０１９９】
【発明の効果】
本発明によれば、映像球通過検出部を映像遊技球が通過したことを検知したときに、前記遊技領域内の映像遊技球の大きさを変更して、前記映像始動口への映像遊技球の入賞確率を変化させるようにしたので、遊技者は飽きを感じることがなくなり継続して緊張感を持って遊技を行うことができるとともに、遊技者に新たな期待を持たせ更なる遊び心を高めることができる効果がある。
【手続補正１８】
【補正対象書類名】明細書
【補正対象項目名】０２００
【補正方法】削除
【補正の内容】
【手続補正１９】
【補正対象書類名】明細書
【補正対象項目名】０２０１
【補正方法】削除
【補正の内容】
【手続補正２０】
【補正対象書類名】明細書
【補正対象項目名】０２０２
【補正方法】削除
【補正の内容】
【手続補正２１】
【補正対象書類名】明細書
【補正対象項目名】０２０３
【補正方法】削除
【補正の内容】
【手続補正２２】
【補正対象書類名】明細書
【補正対象項目名】０２０４
【補正方法】削除
【補正の内容】